(57)【要約】【課題】ロータのイナーシャを大きくしながらギャップが不均一となることを防ぎ、振動および騒音を小さくするモータを提供する。【解決手段】ロータコア７の積厚１４をステータコア３の積厚１５と同等とし、ロータコア７の少なくとも片方の端面に、軸方向に略円環状の突起部２３を有する非磁性体からなる端板Ａ２１を配置し、端板Ａ２１が配置されない側のロータコア７の端面には突起を有しない円盤状の端板Ｂ２２を配置し、ロータコア７と端板Ａ２１と端板Ｂ２２を一体化するリベット１２をロータコア７と同等の長さとし、端板Ａ２１のリベット１２をかしめる周囲を凹部とする。【選択図】図１
2006166517.tif 000002
【特許請求の範囲】
【請求項１】
打ち抜かれた電磁鋼板からなるステータコアシートを積層してなるステータコアにコイルが巻装してなるステータと、前記ステータ内で回転すると共に、打ち抜かれた電磁鋼板からなるロータコアシートを積層してなるロータコア内部に複数個のスロットを設け、前記スロット内に永久磁石を備え、前記永久磁石の長さが前記ステータコアの積厚と同等以下となるロータからなるモータにおいて、前記ロータコアの積厚を前記ステータコアの積厚と同等とし、前記ロータコアの少なくとも片方の端面に、軸方向に略円環状の突起部を有する非磁性体からなる端板Ａを配置し、前記端板Ａが配置されない側のロータコアの端面には突起を有しない円盤状の端板Ｂを配置し、前記ロータコアと前記端板Ａと前記端板Ｂを一体化するリベットの長さを前記ロータコアの積厚に端板Ａの凹部の厚みと端板Ｂの厚みを加えた長さと同等とし、前記端板Ａの前記リベットをかしめる周囲を凹部とすることを特徴とするモータ。
【請求項２】
端板Ａ上の略円環状の突起部上に半周以下の突起部を設けた請求項１に記載のモータ。
【発明の詳細な説明】
【技術分野】
【０００１】
本発明は、冷凍空調機器用電動圧縮機に使用されるモータに関する。
【背景技術】
【０００２】
従来、冷凍空調機器用電動圧縮機で、一回転中の負荷変動が大きい圧縮機に使用されるモータにおいて、トルクおよび速度の変動の大きさによる振動および騒音を解決するために、ロータのイナーシャを大きくしたモータは、図６に示しているものがある（特許文献１参照）。モータ１は、打ち抜かれた電磁鋼板からなるステータコアシート２を積層してなるステータコア３にコイル４が巻装してなるステータ５と、ステータ５内で回転すると共に、打ち抜かれた電磁鋼板からなるロータコアシート６を積層してなるロータコア７に形成されたスロット８内に永久磁石９を備え、ロータコア７の端面に非磁性体からなる端板１０を配置し、さらに端板１０上にバランスウェイト１１を配置し、ロータコア７と端板１０とバランスウェイト１１をリベット１２にて一体化しているロータ１３から構成される。ロータコア７の積厚をステータコア３の積厚よりも大きくすると共に、永久磁石９の長さをステータコア３の積厚よりも小さくしている。スロット８内に永久磁石９を備え、永久磁石９の磁束をステータ５に流すために必要なロータコア７の積厚は、ステータコア３と同等の積厚であるが、イナーシャをより大きくするために、ステータコア３の積厚よりもロータコア７の積厚を大きくしていた。（例えば特許文献１参照）
【特許文献１】特開２００３−２７４５９１号公報
【発明の開示】
【発明が解決しようとする課題】
【０００３】
しかしながら、前記従来の構成では、ロータのイナーシャを大きくするために磁石の長さおよびステータの積厚以上にロータコアの積厚を大きくするため、ロータコアシートの枚数が増えて、リベットの長さが長くなる。ロータコアシートの枚数が増えるとロータコアの内径の中心軸に対するロータコアシートのズレが多くなるため、リベットを挿入する穴の軸中心が傾く。その結果、ロータを組み立てる工程において、ロータコアにリベットを挿入する際、リベットが傾く。リベットが傾いた状態でリベットピンに圧力を加えてかしめると、リベットが屈曲してロータコアシートを押して、いっそうロータコアシートの内径の中心軸に対するズレが多く、ロータコアが変形する。リベットが屈曲して変形することによるロータコアの変形によって、ステータコアとロータコアの間のギャップが円周方向で不均一となり、振動および騒音が大きくなる場合も生じる。そして、これらの点でさらなる性能向上が、新たな課題とされる場合もある。
【０００４】
本発明は、性能の向上を図るために、ロータのイナーシャを大きくしながらギャップが不均一となることを防ぎ、振動および騒音を小さくするモータを提供することが課題である。
【課題を解決するための手段】
【０００５】
上記課題を解決するために本発明は、打ち抜かれた電磁鋼板からなるステータコアシートを積層してなるステータコアにコイルが巻装してなるステータと、前記ステータ内で回転すると共に、打ち抜かれた電磁鋼板からなるロータコアシートを積層してなるロータコア内部に複数個のスロットを設け、前記スロット内に永久磁石を備え、前記永久磁石の長さが前記ステータコアの積厚と同等以下となるロータからなるモータにおいて、前記ロータコアの積厚を前記ステータコアの積厚と同等とし、前記ロータコアの少なくとも片方の端面に、軸方向に略円環状の突起部を有する非磁性体からなる端板Ａを配置し、前記端板Ａが配置されない側のロータコアの端面には突起を有しない円盤状の端板Ｂを配置し、前記ロータコアと前記端板Ａと前記端板Ｂを一体化するリベットの長さを前記ロータコアの積厚に端板Ａの凹部の厚みと端板Ｂの厚みを加えた長さと同等とし、前記端板Ａの前記リベットをかしめる周囲を凹部とすることを特徴とするモータ。
【発明の効果】
【０００６】
本発明のモータによれば、圧縮機による一回転中の負荷変動の影響を受けにくくするために必要なイナーシャを得るのに、ステータコアの積厚以上にロータコアの積厚を大きくする場合に比べて、ロータコアの積厚が小さいために、ロータコアシートの枚数が少なく、ロータコアシートのズレも小さく、端板に凹部があるために、リベットの長さをロータコアの積厚同等にまで短くすることができるため、リベットが屈曲することによる変形が小さく、ロータコアの変形も小さいため、イナーシャを大きくしながら、ギャップが不均一となることを防ぎ、振動および騒音を小さくすることができる。
【０００７】
さらに、端板の略円環状の突起上に部分的に突起を設けることで、圧縮機側とのバランスをとるためだけの部品を追加せずに、一つの端板でイナーシャを大きくしながら、ギャップが不均一となることを防ぎ、振動および騒音を小さくし、圧縮機側とのバランスをとることができる。
【発明を実施するための最良の形態】
【０００８】
打ち抜かれた電磁鋼板を積層してなるステータコアにコイルが巻装してなるステータと、前記ステータ内で回転すると共に、打ち抜かれた電磁鋼板からなるロータコアシートを積層してなるロータコア内部に複数個のスロットを設け、前記スロット内に永久磁石を備え、前記永久磁石の長さが前記ステータコアの積厚と同等以下となるロータからなるモータにおいて、前記ロータコアの積厚を前記ステータコアの積厚と同等とし、前記ロータコアの少なくとも片方の端面に、軸方向に略円環状の突起部を有する非磁性体からなる端板Ａを配置し、前記端板Ａが配置されない側のロータコアの端面には突起を有しない円盤状の端板Ｂを配置し、前記ロータコアと前記端板Ａと前記端板Ｂを一体化するリベットを前記ロータコアと同等の長さとし、前記端板Ａの前記リベットをかしめる周囲を凹部とする。
【実施例１】
【０００９】
実施例１について、図１から図４を用いて説明する。図１は本発明の実施例１によるモータの斜視図を示す。図２は図１のモータ１の正面図である。図３は図２のモータ１の線Ａ−Ａにおける断面図である。図４は図１のロータ１３の斜視図である。図３において、ステータ５は、複数の歯部１４を有する打ち抜かれた電磁鋼板からなるステータコアシート２を積層してなるステータコア３に絶縁端板１５を装着し、歯部１４に位置する絶縁端板１５上に直接コイル４を巻装してなる。コイル４の端部はリード線に接続され、リード線が電源に接続されるが、図１においてはコイル４とリード線の接続部およびリード線を省略している。
【００１０】
図３において、ロータ１３は、ステータ５内で回転すると共に、打ち抜かれた電磁鋼板からなるロータコアシート６を積層してなるロータコア７内部に複数のスロット８とリベット１２を通す穴１６を設け、複数のスロット内８には永久磁石９を備え、ロータコア７の端面には、リベット１２を通す穴１７を有し複数のスロット８を覆うように非磁性体からなる端板Ａ１８と端板Ｂ１９が配置され、ロータコア７と端板Ａ１８と端板Ｂ１９はリベット１２によって一体化されている。ロータコア７の積厚はステータコア３の積厚と同等であり、永久磁石９の長さは、ステータコア３の積厚と同等以下である。
【００１１】
図４において、端板Ａ１８と端板Ｂ１９は、内径をロータコア７の内径の同等以上とし、外径をロータコア７の外径同等以下とする。端板Ａ１８は軸方向に円環状の突起部２０を有し、突起部２０の内径はリベット１２の頭部２１より内径側に位置し、リベット１２を通す穴１６の回りは凹部２２になっている。リベット１２の長さはロータコア７の積厚に端板Ａ１８の凹部２２の厚みと端板Ｂ１９の厚みを加えた長さと同等以上とする。
【００１２】
これにより、圧縮機による一回転中の負荷変動の影響を受けにくくするために必要なイナーシャを得るのに、ステータコアの積厚以上にロータコアの積厚を大きくする場合に比べて、ロータコア７の積厚が小さいために、ロータコアシート６の枚数が少なく、ロータコアシート６のズレも小さく、端板Ａ１８に凹部２２があるために、リベット１２の長さをロータコア７の積厚同等にまで短くすることができるため、リベット１２が屈曲することによる変形が小さく、ロータコア７の変形も小さいため、イナーシャを大きくしながら、ギャップが不均一となることを防ぎ、振動および騒音を小さくすることができる。
【実施例２】
【００１３】
実施例２について図５を用いて説明する。図５は本発明の実施例２によるロータ１３の斜視図を示す。図５において、端板Ａ１８は、円環状の突起部２０上に半周以下の突起部２３を設け、一体物とする。
【００１４】
これにより、圧縮機側とのバランスをとるための部品を追加せずに、一つの端板でイナーシャを大きくしながら、ギャップが不均一となることを防ぎ、振動および騒音を小さくし、圧縮機側とのバランスをとることができる。
【産業上の利用可能性】
【００１５】
本発明のモータは、一回転中の負荷変動が大きい圧縮機などに有用である。
【図面の簡単な説明】
【００１６】
【図１】本発明の実施例１におけるモータの斜視図
【図２】本発明の実施例１におけるモータの正面図
【図３】本発明の実施例１におけるモータの断面図
【図４】本発明の実施例１におけるロータの斜視図
【図５】本発明の実施例２におけるロータの斜視図
【図６】従来例のモータの断面図
【符号の説明】
【００１７】
１  モータ
２  ステータコアシート
３  ステータコア
４  コイル
５  ステータ
６  ロータコアシート
７  ロータコア
８  スロット
９  永久磁石
１２  リベット
【図１】
2006166517.tif 000003
【図２】
2006166517.tif 000004
【図３】
2006166517.tif 000005
【図４】
2006166517.tif 000006
【図５】
2006166517.tif 000007
【図６】
2006166517.tif 000008